(57)【要約】【構成】発射槌１により遊技球を印打発射する遊技機において、印打発射位置における印打発射槌１の印打方向の動作を制限するストッパー３を有する遊技球発射装置において、印打発射槌１の印打発射停止位置に設けたストッパー３に微調整部材１３を設けた遊技球発射装置。【効果】球飛びに重要な発射槌の印打停止位置を正確に決めるための微調整部材を設けたストッパーによって微調整機能が簡単に付加でき、この微調整部材によって正確に調整できる。また、目盛りを設けることで、飛び調整においてストッパーの移動量と飛び変化とを定量的に知ることができるようになり、調整の手間が飛躍的に向上する。【選択図】　　　図１
2004141194.tif 000002
【特許請求の範囲】
【請求項１】
発射槌により遊技球を印打発射する遊技機において、印打発射位置における印打発射槌の印打方向の動作を制限するストッパーを有する遊技球発射装置において、印打発射槌の印打発射停止位置に設けたストッパーに微調整部材を設けたことを特徴とする遊技球発射装置。
【請求項２】
印打発射槌の印打発射停止位置に微調整部材を設けたストッパーを印打発射槌駆動軸を中心にして、印打部と反印打部２ヶ所に設けたことを特徴とする請求項１記載の遊技球発射装置。
【請求項３】
印打発射槌の印打発射停止位置の微調整部材を設けたストッパーに微調整位置の目印目盛りを設けたことを特徴とする請求項１、または請求項２記載の遊技球発射装置。
【発明の詳細な説明】
【０００１】
【発明の属する技術分野】
本発明は、各種アクチュエータ、モータ等を駆動源とする球遊技機器の遊技球発射装置に関するものである。
【０００２】
【従来の技術】
従来のパチンコ機の遊技球発射装置は、発射槌１が印打発射位置で球印打位置ストッパー３によって停止した状態を示す図１１、及び発射槌１がスタート位置でスタート位置ストッパー２によって停止した状態を示す図１２からも理解できるように、発射槌１は取付板６に取り付けられた回転軸１１に取り付けられ、この発射槌１の印打発射停止位置における球印打位置ストッパー３には、調整可能な長穴４を有し、球印打位置ストッパー３の位置調整には、長穴４を用いて移動し、固定ネジ５で固定することにより発射槌１の停止位置を設定できるようにしたものが存在している。
【０００３】
ところが、一般に遊技球発射装置の配置できる個所は、遊技機の隅に配置されることが多く、従って狭い場所であり、作業としては止めネジを緩めストッパーを移動させ、片手でストッパー位置を固定し、もう一方の手で止めネジを締めこむ作業を行うため両手が必要であり、しかも狭い場所のため作業が困難である。また、作業が困難なため繊細な位置決めができなかった。また、バネの戻り力による遊技球発射装置においては、ストッパーにバネの戻り力が常に加わっているために、さらに作業がやり難く、位置決めも正確ではなかった。
【０００４】
【発明が解決しようとする課題】
しかしながら、前記従来技術における長穴でのストッパー位置の微調整は、狭い空間で行わなければならないので、作業は止めネジを緩めストッパーを移動させ、ストッパー位置を固定して止めネジを締めこむ作業のため、両手が必要で位置決めが大変困難であった。
【０００５】
本発明は、このような事情に鑑み、発射槌の停止位置の微調整ができるようにした球印打位置ストッパーを設けた遊技球発射装置を提供することを目的とするものである。
【０００６】
【課題を解決するための手段】
本発明は、前記課題の解決を図ったもので、次のような技術手段を採用した。請求項１記載の発明においては、発射槌により遊技球を印打発射する遊技機において、印打発射位置における印打発射槌の印打方向の動作を制限するストッパーを有する遊技球発射装置において、印打発射槌の印打発射停止位置に設けたストッパーに微調整部材を設けるという技術手段を採用した。
【０００７】
請求項２記載の発明においては、請求項１に記載の発明に加えて、印打発射槌の印打発射停止位置に微調整部材を設けたストッパーを印打発射槌駆動軸を中心にして、印打部と反印打部２ヶ所に設けるという技術手段を採用した。
【０００８】
請求項３記載の発明においては、請求項１、または請求項２記載の発明に加えて、印打発射槌の印打発射停止位置の微調整部材を設けたストッパーに微調整位置の目印目盛りを設けるという技術手段を採用した。
【０００９】
【実施例】
以下、図１、図２に基づいて本発明の第一実施例を詳細に説明する。
本発明は、遊技球発射装置の発射槌１による球の飛び力は、発射槌１先が遊技球に当たり、その後どこまで球を押し込むか（球印打位置ストッパー３による停止位置）により大きく変わる。そのために従来から球印打位置ストッパー３には、位置を微調整できるように固定用の長穴が設けられているが正確な位置決めを行うことは難しくおおよその調整で行われていた。本発明では、球印打位置ストッパー３は、ストッパー位置を微調整できるようにネジ棒７が組み込まれたストッパーヘッド９とストッパーボデー１０からなっている。このネジ棒７の突出部に係合して、ネジ棒７を移動させる回転ナット８を突設し、この回転ナット８を外部から回転させることで、ネジ棒７を介してストッパーヘッド９を移動させ、発射槌の球印打ストップ位置を設定するものである。最初にストッパーボデー１０を概略のストッパー位置に固定ネジ１５により固定し、飛び位置を確認しながら回転ナット８を回転させ、ストッパーヘッド９を移動させ最適の発射槌ストップ位置を決定後固定ネジ５でストッパーを固定する。
【００１０】
また、具体的な第一実施例を図２に基づいて詳細に説明すると、ストッパーヘッド９に直接ネジ棒７を固定し、このネジ棒７を固設したストッパーヘッド９はガイド用の壁を設けた断面凹字形のストッパーボデー１０に組み合わされ、このネジ棒７に回転ナット８をネジ込み、この回転ナット８を回転させることで、ネジ棒７を介してストッパーヘッド９の移動を微調整させるものである。
【００１１】
このように球飛びに重要な発射槌１の停止位置を正確に決めるための微調整部材付きストッパーを提供することを目的としている。
【００１２】
次に、図３に基づいてストッパーの微調整部材の変形例である第二実施例について説明する。
図１、図２で示した第一実施例との違いは、ストッパーヘッド９のガイド用の壁を取り除いて、単に平板上にスライドできるように設けたもので、他の構成は前記第一実施例と同一なので詳細な説明は省略する。
【００１３】
図４に基づいてストッパーの微調整部材を２ヶ所に設ける第三実施例について説明する。
回転軸１１で発射槌１を回転させることで、球を印打するものであるが、前記第一実施例、第二実施例で示したストッパーの微調整部材をもう一ヶ所に設けた例で、発射槌１の回転軸１１の印打部と反対側の発射槌１の後端部を停止させる球印打位置ストッパー３を１８０度反転させて取り付けることで、２ヶ所でより正確に微調整を可能にしたストッパーヘッド９を２ヶ所設けた実施例である。
【００１４】
図５に基づいて、第一実施例のように微調整部材を有する球印打位置ストッパー３を設け、他端には微調整部材を有さない、従来の一般のストッパーを設けた第四実施例について説明する。
この第四実施例では、本発明の微調整部材を有するストッパーにより発射槌１の位置を設定した後に、一般のストッパーを固定することで可能になるものである。
【００１５】
図６に基づいて、ストッパーにおける微調整部材の第五実施例について説明する。
球印打位置ストッパー３にタップを切り、またはナットを組み込み、微調整用ネジ１３に回転用のリング１２を固定し、リング１２を回転させることにより球印打位置ストッパー３を微調整移動させることができるようにした実施例である。
その他の構成は、前記第一実施例と同一なので詳細な説明は省略する。
【００１６】
図７に基づいて、ストッパーにおける微調整部材の第六実施例について説明する。
微調整用リング１２を回転させることにより、球印打停止ストッパー３に取り付けられた微調整用ネジ１３が移動し、それに伴い、球印打位置ストッパー３が移動する。この微調整された位置を決定後、固定ネジ５で球印打位置ストッパー３を固定するものである。
その他の構成は、前記第一実施例と同一なので詳細な説明は省略する。
【００１７】
図８に基づいて、ストッパーにおける微調整部材の第七実施例について説明する。
球印打位置ストッパー３のお尻にネジを突き当て、ネジを回転させることにより、球印打位置ストッパー３の位置を微調整可能にしたものである。
その他の構成は、前記第一実施例と同一なので詳細な説明は省略する。
【００１８】
実施例では、固定部と微調整可動部間をネジにて説明をしたが、固定部と微調整可動部間にカム状または、クサビ状の部材により微調整を行う等の設計は可能である。
【００１９】
次に、図９、図１０に基づいて実施例を説明する。
図９は、回転ナット８の外周に目盛りを設けストッパーボデー１０に、回転ナット８の目盛り位置の確認目印１４を設け、ストッパー位置を定量的に確認可能とした実施例である。また図１０は、ストッパーヘッド９の微調整可動部近傍の非可動部に目盛りを設け、移動量を確認可能とした実施例である。この実施例では、目盛り位置の確認目印１４を可動部の端とした例であるが、別に持つことは同じである。
このように目盛りを設けることで、飛び調整においてストッパーの移動量と飛び変化とを定量的に知ることができるようになり、調整の手間が飛躍的に向上した。目盛りと位置目印は、移動部と固定部との位置関係を示すことができれば、設計は自由なものである。
【００２０】
【発明の効果】
本発明は、以上の構成を採用した結果、次のような効果を得ることができる。
（１）球飛びに重要な発射槌の印打停止位置を正確に決めるための微調整部材を設けたストッパーによって微調整機能が簡単に付加でき、この微調整部材によって正確に調整できる。
（２）目盛りを設けることで、飛び調整においてストッパーの移動量と飛び変化とを定量的に知ることができるようになり、調整の手間が飛躍的に向上する。
【図面の簡単な説明】
【図１】本発明の第一実施例に関する遊技球発射装置のストッパー微調整部材を示す正面図である。
【図２】本発明の第一実施例における遊技球発射装置の微調整部材の分解説明図である。
【図３】本発明の第二実施例に関する打遊技球発射装置のストッパー微調整部材を示す正面図である。
【図４】本発明の第三実施例に関する遊技球発射装置のストッパー微調整部材を示す正面図である。
【図５】本発明の第四実施例に関する遊技球発射装置のストッパー微調整部材を示す正面図である。
【図６】本発明の第五実施例に関する遊技球発射装置のストッパー微調整部材を示す正面図である。
【図７】本発明の第六実施例に関する遊技球発射装置のストッパー微調整部材を示す正面図である。
【図８】本発明の第七実施例に関する遊技球発射装置のストッパー微調整部材を示す正面図である。
【図９】本発明の回転ナットの外周に目盛りを設け、ストッパーボデーに回転ナットの目盛り位置の確認目印を設けた実施例を示す説明図である。
【図１０】本発明のストッパーヘッドの微調整可動部近傍の非可動部に目盛りを設けた実施例を示す説明図である。
【図１１】従来の遊技球発射装置の発射槌が印打位置にある状態を示す正面図である。
【図１２】従来の遊技球発射装置の発射槌がスタート位置にある状態を示す正面図である。
【符号の説明】
１‥‥発射槌　　　　　　　　　　　　　　２‥‥スタート位置ストッパー
３・・・・球印打位置ストッパー　　　　　　　４・・・・長穴
５・・・・固定ネジ　　　　　　　　　　　　　６・・・・取付板
７・・・・ネジ棒　　　　　　　　　　　　　　８・・・・回転ナット
９・・・・ストッパーヘッド　　　　　　　　１０・・・・ストッパーボデー
１１・・・・回転軸　　　　　　　　　　　　　１２・・・・リング
１３・・・・微調整用ネジ　　　　　　　　　　１４・・・・目盛り位置の確認目印
１５・・・・固定ネジ
【図１】
2004141194.tif 000003
【図２】
2004141194.tif 000004
【図３】
2004141194.tif 000005
【図４】
2004141194.tif 000006
【図５】
2004141194.tif 000007
【図６】
2004141194.tif 000008
【図７】
2004141194.tif 000009
【図８】
2004141194.tif 000010
【図９】
2004141194.tif 000011
【図１０】
2004141194.tif 000012
【図１１】
2004141194.tif 000013
【図１２】
2004141194.tif 000014